(57)【要約】【課題】選局の効率化を図ったテレビジョン受信機、及びこのテレビジョン受信機を備えたプロジェクタを提供することである。【解決手段】テレビジョン受信機１は、登録されている複数のチャンネル番号を順次指定させて選局操作を行わせる選局操作部（リモコン１５）と、チャンネルの視聴時間を計測する視聴時間計測部（制御部２）と、視聴時間が所定時間を経過しているか否かを判断する所定時間判断部（制御部２）と、所定時間を経過しているチャンネル番号と日時を保存する選局情報保存部８と、日時取得部（制御部２）と、所定日数判断部（制御部２）と、受信部（選局処理部５、チューナ６）とを備え、所定日数判断部で所定条件を満たす場合、日時取得部で指定し取得したチャンネル番号を受信部に出力し、受信部で対応するテレビジョン信号を受信する。【選択図】図３
2007251487.tif 000002
【特許請求の範囲】
【請求項１】
登録されている複数のチャンネル番号を順次指定させて選局操作を行わせる選局操作部と、
視聴チャンネルの視聴時間を計測する視聴時間計測部と、
前記視聴時間計測部で計測した前記視聴時間が所定時間を経過しているか否かを判断する所定時間判断部と、
前記所定時間判断部で前記所定時間を経過していると判断されると、前記視聴チャンネルのチャンネル番号に対応させて前記視聴時間を計測した日時を日時データとして保存し前記登録する選局情報保存部と、
前記選局操作部からの選局信号に基づいて、前記指定したチャンネル番号に対応する前記日時データを前記選局情報保存部から取得する日時取得部と、
前記日時取得部で取得した前記日時データが、所定条件を満たすか否かを判断する所定日数判断部と、
前記チャンネル番号に基づいて対応するテレビジョン信号を受信する受信部とを備え、
前記所定日数判断部で前記所定条件を満たすと判断されると、当該指定されたチャンネル番号を前記受信部に出力し、前記受信部は、前記指定されたチャンネル番号に基づいて対応するテレビジョン信号を受信し、また、前記所定日数判断部で前記所定条件を満たさないと判断されると、前記日時取得部は、前記選局情報保存部から前記指定されたチャンネル番号の次に前記登録されているチャンネル番号を指定して、当該指定したチャンネル番号に対応する前記日時データを取得し、前記所定日数判断部に出力することを特徴とするテレビジョン受信機。
【請求項２】
請求項１に記載のテレビジョン受信機であって、
前記選局操作部からの前記選局信号が継続しているか否かを判断する信号入力継続判断部を備え、
前記信号入力継続判断部で前記選局信号が継続していると判断されると、前記日時取得部および前記所定日数判断部での動作が繰返され、前記選局信号が継続していないと判断されると、前記所定日数判断部で前記所定条件を満たすと判断された最終の前記チャンネル番号を前記受信部に出力し、前記受信部は、前記最終のチャンネル番号に基づいて対応するテレビジョン信号を受信することを特徴とするテレビジョン受信機。
【請求項３】
請求項１または請求項２に記載のテレビジョン受信機と、
光束を射出する光源装置と、
前記光源装置から射出された前記光束を前記テレビジョン受信機から得られる画像情報に応じて変調して光学像を形成する光変調部と、
前記光変調部により形成された前記光学像を投写する投写部とを備えることを特徴とするプロジェクタ。
【発明の詳細な説明】
【技術分野】
【０００１】
本発明は、テレビジョン受信機、及びこれを備えたプロジェクタに関するものである。
【背景技術】
【０００２】
近年、地上デジタル放送やＢＳ・ＣＳデジタル放送などの多チャンネル放送を各家庭においても視聴できるテレビジョン装置（受信機）などが普及してきている。なお、ユーザが所望するチャンネルに切替える操作は、リモコンに備えられたチャンネルアップダウンキーなどを利用して操作するが、多チャンネルのため、大変時間がかかってしまう。そのため、特許文献１には、同一チャンネルを規定時間以上継続して視聴した場合に、好みのチャンネルの候補として登録し、この登録したチャンネルを更に規定時間以上継続して視聴した場合に、視聴者の好みのチャンネルとして選局できるようにしたものが開示されている。
【０００３】
【特許文献１】特開２００５−８６３２５号公報
【発明の開示】
【発明が解決しようとする課題】
【０００４】
しかしながら、特許文献１においては、以前は規定時間以上視聴していたが、最近は視聴していないというチャンネルであっても、お好みのチャンネルとして登録され続けてしまうという課題があった。また、お好みのチャンネルをダイレクト選局（チャンネルを指定して選局）する場合は良いが、アップダウン選局（チャンネルを一方向に自動的に選局）する場合には、最近視聴していないチャンネルも必ず選局されてしまうという課題もあった。
【０００５】
本発明は、上記課題に鑑みてなされたものであり、選局の効率化を図ったテレビジョン受信機、及びこのテレビジョン受信機を備えたプロジェクタを提供することを目的とする。
【課題を解決するための手段】
【０００６】
上述した目的を達成するために、本発明のテレビジョン受信機は、登録されている複数のチャンネル番号を順次指定させて選局操作を行わせる選局操作部と、視聴チャンネルの視聴時間を計測する視聴時間計測部と、視聴時間計測部で計測した視聴時間が所定時間を経過しているか否かを判断する所定時間判断部と、所定時間判断部で所定時間を経過していると判断されると、視聴チャンネルのチャンネル番号に対応させて視聴時間を計測した日時を日時データとして保存し登録する選局情報保存部と、選局操作部からの選局信号に基づいて、指定したチャンネル番号に対応する日時データを選局情報保存部から取得する日時取得部と、日時取得部で取得した日時データが、所定条件を満たすか否かを判断する所定日数判断部と、チャンネル番号に基づいて対応するテレビジョン信号を受信する受信部とを備え、所定日数判断部で所定条件を満たすと判断されると、当該指定されたチャンネル番号を受信部に出力し、受信部は、指定されたチャンネル番号に基づいて対応するテレビジョン信号を受信し、また、所定日数判断部で所定条件を満たさないと判断されると、日時取得部は、選局情報保存部から指定されたチャンネル番号の次に登録されているチャンネル番号を指定して、当該指定したチャンネル番号に対応する日時データを取得し、所定日数判断部に出力することを特徴とする。
【０００７】
このようなテレビジョン受信機によれば、視聴時間計測部で視聴時間を計測し、所定時間判断部で計測した視聴時間が所定時間を経過しているか否かを判断する。そして、視聴時間が所定時間を経過している場合には、選局情報保存部にその視聴チャンネルのチャンネル番号および日時をデータとして保存する。これにより、ユーザの視聴度合が高いチャンネルをデータとして保存できる。
また、選局操作部からの選局信号に基づき、日時取得部がチャンネル番号を指定し、この指定したチャンネル番号に対応する日時データを選局情報保存部から取得し、所定日数判断部で日時データが、所定条件を満たすか否かを判断する。そして、日時データが所定条件を満たす場合には、指定されたチャンネル番号を受信部に出力する。そして、受信部は、指定されたチャンネル番号に基づいて対応するテレビジョン信号を受信する。また、日時データが所定条件を満たさない場合には、日時取得部は、指定したチャンネル番号の次に登録されているチャンネル番号に対応する日時データを選局情報保存部から取得し、所定日数判断部に出力する。このように、所定日数判断部を備えて、選局情報保存部に保存するユーザの視聴度合が高いチャンネルの中で、所定条件を満たすチャンネル、言い換えれば、視聴度合が高いチャンネルの中で、更に視聴頻度が高くなる条件を満たすチャンネルを選択することにより、更にユーザの所望していると考えられるチャンネルを効率的に選局することができる。従って、ユーザの選局の効率化を図ったテレビジョン受信機を提供することができる。
なお、所定条件とは、例えば所定の日数の経過や時間の経過など挙げることができる。ここで、所定条件を所定の日数経過とした場合、所定の条件を満たす場合とは、所定の日数を経過していない場合ということになる。また、所定条件を満たすチャンネルとは、所定の日数を経過していないチャンネルであり、言い換えれば、最近視聴しているチャンネルということになる。また、所定条件を満たさないチャンネルとは、所定の日数を経過しているチャンネルであり、言い換えれば、最近視聴していないチャンネルということになる。
【０００８】
上記テレビジョン受信機において、選局操作部からの選局信号が継続しているか否かを判断する信号入力継続判断部を備え、信号入力継続判断部で選局信号が継続していると判断されると、日時取得部および所定日数判断部での動作が繰返され、選局信号が継続していないと判断されると、所定日数判断部で所定条件を満たすと判断された最終のチャンネル番号を受信部に出力し、受信部は、最終のチャンネル番号に基づいて対応するテレビジョン信号を受信することが好ましい。
【０００９】
このようなテレビジョン受信機によれば。信号入力継続判断部により、選局操作部からの選局信号が継続していないと判断されるまで、日時取得部および所定日数判断部での動作が繰返されるため、ユーザに対して、ユーザが選局操作部で選局信号を継続して出す操作を行うことにより、所望していると考えられるチャンネルを効率的に選局させることができる。
【００１０】
上述した目的を達成するために、本発明のプロジェクタは、上述したいずれかのテレビジョン受信機と、光束を射出する光源装置と、光源装置から射出された光束をテレビジョン受信機から得られる画像情報に応じて変調して光学像を形成する光変調部と、光変調部により形成された光学像を投写する投写部とを備えることを特徴とする。
【００１１】
このようなプロジェクタによれば、テレビジョン受信機、光源装置、光変調部および投写部を備えることにより、ユーザの視聴度合が高いテレビジョン放送のチャンネルをデータとして保存でき、更にユーザの所望していると考えられるチャンネルを効率的に選局することができる。
従って、テレビジョン放送をプロジェクタを用いて投写する場合、テレビジョン放送に対するユーザのチャンネル選局の効率化を図ったプロジェクタを提供することができる。
【発明を実施するための最良の形態】
【００１２】
以下、本発明の実施形態を図面に基づいて説明する。
（実施形態）
【００１３】
図１は、本発明の実施形態に係るテレビジョン受信機の構成を示すブロック図である。図１を用いて、テレビジョン受信機１の構成および動作を説明する。
【００１４】
図１に示すように、テレビジョン受信機１は、リモコン受光部３、キー入力処理部４、選局処理部５、チューナ６、入力選択部７、選局情報保存部８、映像音声処理部９、映像出力部１０、表示装置１１、音声出力部１２およびスピーカ１３などを有して構成されている。
【００１５】
テレビジョン受信機１は、制御部２により統括制御されている。また、制御部２は、ＣＰＵ（Central Processing Unit）で構成される。このＣＰＵは、ＲＯＭ（Read Only Memory））及びＲＡＭ（Random Access Memory）を有して構成されている。
【００１６】
ここで、ユーザが、例えば押ボタン式のキースイッチを有するワイヤレス型のリモコン（リモートコントローラ）１５の、キースイッチを押下すると、リモコン１５は、押下されたキースイッチに応じて、リモート制御信号をリモコン受光部３に、例えば赤外線で送信する。そして、キー入力処理部４において、入力したリモート制御信号をデジタルコードデータに変換して制御部２に出力する。制御部２は、入力されたデータに対する制御信号を選局処理部５及び入力選択部７に出力することにより、チャンネルの切替えや、外部接続機器１６の切替えなどを行うように構成されている。なお、外部接続機器１６としてはＤＶＤ（Digital Versatile Disk）プレーヤやビデオテープレコーダやパソコン（パーソナルコンピュータ）などを挙げることができる。
【００１７】
図２は、チャンネルポジション番号と受信チャンネルとの関係を示す例示図である。ここで、図１の各構成部を説明するために、最初に、図２を用いて、チャンネルポジション番号５０と受信チャンネル５１との関係を簡単に説明する。
【００１８】
図２は、列方向にチャンネルポジション番号５０、チャンネルポジション番号５０に割り付けた受信チャンネル（受信ｃｈ）５１、受信チャンネル５１を表示装置１１に表示させる場合の表示のさせ方を示す表示チャンネル（表示ｃｈ）５２、表示チャンネル５２の示す放送局名５３を示している。また、行方向には、チャンネルポジション番号５０の１番から１２番までを示している。例えばチャンネルポジション番号５０の１番は、受信チャンネル５１としてＶＨＦ（Very High Frequency）の１ｃｈ（Ｖ１）が割り付けられ、表示装置１１には、１ｃｈとして表示され、放送局名５３はＡを示している。
【００１９】
テレビジョン放送の各放送局に対応する受信チャンネル５１は、リモコン１５のキースイッチに設定されるそれぞれのチャンネルポジション番号５０に割り当てて設定される。割り当て方は、簡易な所定の方法によりユーザが割り当てる。また、本実施形態では、チャンネルポジション番号５０とユーザにより割り当てられた受信チャンネル５１のデータは、選局処理部５に記憶される。
【００２０】
ここで、リモコン１５からキー入力処理部４を介して、チャンネル切替えを指示するチャンネル切替信号が入力された場合、制御部２は、受信部としての選局処理部５にチャンネル切替信号に基づいて指定されたチャンネルポジション番号５０を出力する。選局処理部５は、入力したチャンネルポジション番号５０に対応する受信チャンネル５１を選択し、受信部としてのチューナ６に出力する。チューナ６は、入力した受信チャンネル５１に対応するテレビジョン信号を受信し、映像音声処理部９に入力させる。なお、本発明で使用しているチャンネル番号とは、受信チャンネル５１を割り当てられるチャンネルポジション番号５０に相当する。
図１に戻って構成部を説明する。
【００２１】
映像音声処理部９は、入力したテレビジョン信号の中の映像データ部分を順次映像出力部１０に出力し、また、音声データ部分を順次音声出力部１２に出力する。
【００２２】
映像出力部１０は、映像データをデコードして圧縮符号化前の映像データに変換し、これを例えばＲＧＢ信号変換して映像データをビデオ信号に変換する。そして、このビデオ信号を表示装置１１に出力する。これにより、表示装置１１は、入力するビデオ信号を番組映像として表示する。
【００２３】
一方、音声出力部１２は、音声データをデコードして圧縮符号化前の音声データに変換し、これをデジタルアナログ変換して音声データをアナログ音声信号に変換してスピーカ１３に出力する。これにより、スピーカ１３は、入力するアナログ音声信号を番組音声として出力する。
【００２４】
制御部２は、後述する本発明の特徴である視聴時間計測部、所定時間判断部、日時取得部、所定日数判断部および信号入力継続判断部としての動作と、選局操作部および選局情報保存部８を制御している。また、視聴時間計測部、所定時間判断部、日時取得部、所定日数判断部および信号入力継続判断部は、ＲＯＭに記憶されるそれぞれに対応させたプログラムを制御部２が読み出して実行することにより構成される。
以下に制御部２により実行され構成される各部の動作を説明する。
【００２５】
視聴時間計測部は、制御部２の対応するプログラムの実行により、視聴するチャンネル（視聴チャンネル）が選局されてから次に別のチャンネルが選局されるまでの経過時間を視聴チャンネルが視聴された時間として計測する。
【００２６】
所定時間判断部は、制御部２の対応するプログラムの実行により、視聴時間計測部で計測された視聴時間が所定時間を経過しているか否かを判断する。本実施形態では、所定時間を３０分として設定している。
【００２７】
選局情報保存部８は、所定時間判断部で視聴時間が所定時間を経過していると判断したチャンネルのチャンネル番号と、このチャンネル番号に対応させて、視聴時間を計測した日時を日時データとして保存し登録する。選局情報保存部８は、日時データを保存する際、同一チャンネル番号の日時データが選局情報保存部８にすでに保存されている場合には、今回の日時データを最新のデータとして書き替えて保存する。なお、保存する日時データは、年・月・日・時刻などを含んでいる。
【００２８】
日時取得部は、制御部２の対応するプログラムの実行により動作し、選局操作部からの選局信号（チャンネル切替信号）に基づいて、指定したチャンネル番号、及びチャンネル番号データに対応する日時データ（年・月・日・時刻）を選局情報保存部８から取得する。
【００２９】
なお、選局操作部は、選局情報保存部８に登録されている複数のチャンネル番号を日時取得部に順次指定させて、選局操作を行わせるスイッチとして設けられている。本実施形態ではリモコン１５に設置される押ボタン式のキースイッチの１つを使用して構成されている。以降、選局操作部を操作することを、選局操作スイッチを入力するという。また、選局操作スイッチを入力することにより、日時取得部で指定されるチャンネル番号に対してチャンネル番号がアップする方向（図２を例にした場合、チャンネルポジション番号５０が、「１」から「２」の方向）に選局（アップ選局）していくように設定されている。
【００３０】
また、本実施形態の選局操作部は、通常設けられているチャンネル番号のアップダウンスイッチのように、アップ側またはダウン側のキースイッチを入力し続けると、選局されるチャンネルが番号順にアップまたはダウンして順次選局されるスイッチとは異なり、それとは別に設置されるキースイッチである。
【００３１】
所定日数判断部は、制御部２の対応するプログラムの実行により動作し、日時取得部で指定して取得したチャンネル番号に対応させて取得した日時データが、所定条件を満たすか否かを判断する。本実施形態では、所定条件として、所定日数の経過を用いており、日時取得部で取得した日時データが、所定日数を経過しているか否かを判断する。なお、所定日数とは、選局操作部が操作（選局操作スイッチを入力）された時の日時データ（年・月・日・時刻）と、日時取得部で取得した日時データ（年・月・日・時刻）との差を日数としており、本実施形態では、所定日数を５日として設定している。所定日数判断部で、所定日数を経過していないと判断されると、日時取得部で指定して取得したチャンネル番号を選局処理部５に出力する。それにより、受信部としての選局処理部５は、入力した指定されたチャンネル番号に対応する受信チャンネルを選択し、受信部としてのチューナ６に出力する。チューナ６は、入力した受信チャンネルに対応するテレビジョン信号を受信し、映像音声処理部９に入力させる。以降は上述したと同様にして、表示装置１１に番組映像として表示する。
【００３２】
また、所定日数判断部で、所定日数を経過していると判断されると、日時取得部は、選局情報保存部８から次に保存され登録されているチャンネル番号を指定する。そして、その指定したチャンネル番号に対応する日時データを取得し、所定日数判断部に出力する。その出力されたチャンネル番号および日時データに基づき所定日数判断部が上述したように所定日数を経過しているか否かを判断する。
【００３３】
信号入力継続判断部は、制御部２の対応するプログラムの実行により動作し、選局操作部としての選局操作スイッチからの選局信号が継続して入力されているか否かを判断する。信号入力継続判断部で選局信号が継続して入力されていると判断されると、所定日数判断部により所定日数を経過していないとして、指定されたチャンネル番号を選局されたチャンネルとして、対応する番組映像を表示装置１１に表示させた状態を所定期間継続すると同時に、上述した日時取得部および所定日数判断部での動作を再度繰返させる。また、選局信号が継続して入力されていないと判断されると、所定日数判断部で所定日数を経過していないと判断された最終のチャンネル番号データを最終的に指定されたチャンネル番号（ユーザによって最終的に選局されたチャンネル番号）として最終的に選局されたチャンネル番号に対応する番組映像を表示装置１１に表示する状態を継続する。
【００３４】
図３は、本発明のテレビジョン受信機の制御部での処理手順を示すフローチャートである。図３を用いて、視聴時間計測部、所定時間判断部、日時取得部、所定日数判断部および信号入力継続判断部としての動作を行う制御部２の処理手順を説明する。なお、図３のフローチャートは、テレビジョン受信機１の電源が入力された状態からのフローを示している。
【００３５】
制御部２は、本ルーチンを開始し、ステップＳ１００へ移行する。
ステップＳ１００において制御部２は、前回の動作終了時に選局されていた視聴チャンネル（ＣＨ）を選局し、選局処理部５およびチューナ６により選局されたチャンネルに対応する周波数に応じたテレビジョン信号を受信させる。そして、上述した一連の処理により、表示装置１１に番組映像を表示させる。同時に、ステップＳ１０１へ移行する。
【００３６】
ステップＳ１０１において制御部２は、視聴時間計測部として動作し、選局されたチャンネルに対して、視聴時間の計測を開始する。そしてステップＳ１０２へ移行する。
【００３７】
ステップＳ１０２において制御部２は、選局操作部としての選局操作スイッチが入力されたか否かを判断する。選局操作スイッチからの選局信号としての入力信号を制御部２が受信した場合には、ステップＳ１０３へ移行する。また、選局操作スイッチからの入力信号を制御部２が受信しない場合には、ステップＳ１１１へ移行する。ステップＳ１１１以降の説明は、後述する。
【００３８】
ステップＳ１０３において制御部２は、視聴時間計測部として動作し、現在まで、選局されていた視聴チャンネルに対する視聴時間の計測を停止する。そして、ステップＳ１０４へ移行する。
【００３９】
ステップＳ１０４において制御部２は、所定時間判断部として動作し、視聴時間計測部で計測された視聴時間が所定時間（本実施形態では３０分）を経過しているか否かを判断する。経過していない（３０分未満）場合にはステップＳ１０６へ移行し、経過している（３０分以上）の場合には、ステップＳ１０５へ移行する。
【００４０】
ステップＳ１０５において制御部２は、選局情報保存部８にチャンネルの視聴を終了した日時を日時データとして保存し登録する。保存する際、同一チャンネル番号のデータが選局情報保存部８にすでに保存されている場合には、今回の日時データを最新のデータとして書き替えて保存する。そして、ステップＳ１０６へ移行する。
【００４１】
ステップＳ１０６において制御部２は、日時取得部として動作し、選局情報保存部８に保存されているチャンネル番号を指定して、この指定したチャンネル番号に対応する日時データ（年・月・日・時刻）を取得する。ここで、最初に指定するチャンネル番号は、選局情報保存部８に保存されるチャンネル番号の中で、ステップＳ１０２で選局操作スイッチが入力される直前まで選局されていたチャンネル番号を基準として、その番号よりもアップする方向に対応するチャンネル番号である。例えば、選局操作スイッチが入力される直前まで選局されていたチャンネル番号を「ｎ」として、選局情報保存部８に保存されているチャンネル番号が「ｎ−３」，「ｎ−２」，「ｎ＋３」，「ｎ＋５」，「ｎ＋６」であるとした場合、最初に指定するチャンネル番号として「ｎ＋３」を取得する。
【００４２】
ステップＳ１０７において制御部２は、日時取得部として動作し、ステップＳ１０６で指定して取得したチャンネル番号データ（ｎ＋３）に対応する日時データを選局情報保存部８から取得する。そしてステップＳ１０８へ移行する。
【００４３】
ステップＳ１０８において制御部２は、所定日数判断部として動作し、日時取得部で取得した日時データが、所定日数（本実施形態では５日（１２０時間））を経過しているか否かを判断する。そして、経過していない（５日未満）場合にはステップＳ１０９へ移行する。
【００４４】
ステップＳ１０９において制御部２は、ステップＳ１０６において日時取得部で指定して取得したチャンネル番号（ｎ＋３）を、ユーザに選局されたチャンネル番号として、受信部としての選局処理部５に出力する。受信部としての選局処理部５は、入力したチャンネル番号（ｎ＋３）に対応する受信チャンネルを選択し、受信部としてのチューナ６に出力する。チューナ６は、入力した受信チャンネルに対応するテレビジョン信号を受信し、上述したと同様にして、表示装置１１に番組映像として表示する。そしてステップＳ１１０へ移行する。
【００４５】
なお、ステップＳ１０８で、所定日数判断部により、所定日数を経過している（５日以上）と判断された場合には、ステップＳ１０６へ移行する。ステップＳ１０６へ移行した場合、選局情報保存部８から直前に指定したチャンネル番号の次に保存するチャンネル番号データを新たに指定して取得する。詳細には、直前のチャンネル番号が上述したように「ｎ＋３」であった場合、新たに指定するチャンネル番号として、「ｎ＋５」を取得する。そしてステップＳ１０７へ移行する。
【００４６】
ステップＳ１０７において制御部２は、ステップＳ１０６で取得したチャンネル番号（ｎ＋５）に対応する日時データを選局情報保存部８から取得する。そしてステップＳ１０８へ移行する。ステップＳ１０８において、同様に所定日数（５日）を経過しているか否かを判断する。なお、取得したチャンネル番号が、所定日数（５日）を経過している場合には、ステップＳ１０６に戻り、同様の動作を繰返すこととなる。
【００４７】
また、ステップＳ１０９において、チャンネル番号（ｎ＋３）を選局チャンネル番号として出力した場合、表示装置１１にチャンネル番号（ｎ＋３）に対応する番組映像を表示する。そしてステップＳ１１０へ移行する。
【００４８】
ステップＳ１１０において制御部２は、信号入力継続判断部として動作し、ステップＳ１０２において、選局操作スイッチから入力された選局信号としての入力信号が継続して入力されているか否かを判断する。選局操作スイッチの入力信号が継続して入力されていない（入力信号を受信していない）と判断された場合には、これで本ルーチンは終了させ、ステップＳ１０９における指定したチャンネル番号に対応する番組映像の表示装置１１への表示を継続する。同時に、ステップＳ１０１へ移行して、その視聴時間の計測を開始する。そしてステップＳ１０２以降のフローを上述したと同様に実行することになる。
【００４９】
また、ステップＳ１１０において、入力信号が継続して入力されていると判断された場合には、ステップＳ１０６へ移行する。そして、ステップＳ１１０で入力信号が入力されていないと判断されるまで、上述したステップＳ１０６からステップＳ１０９での日時取得部および所定日数判断部としての動作が繰返される。そして、ステップＳ１１０で入力信号が入力されていないと判断されると、その直前のステップＳ１０８で所定日数が経過していないと判断されたチャンネル番号を最終的に指定されたチャンネル番号（ユーザによって最終的に選局されたチャンネル番号）としてステップＳ１０９で決定し出力し、表示装置１１に番組映像として表示されている状態を継続する。
【００５０】
次に、ステップＳ１０２において、選局操作スイッチからの入力信号を制御部２が受信せず、ステップＳ１１１へ移行した場合の説明をする。
【００５１】
ステップＳ１１１において制御部２は、ダイレクトスイッチが入力されたか否かを判断する。入力信号を制御部２が受信した場合には、ステップＳ１１２へ移行する。また、ダイレクトスイッチからの入力信号を制御部２が受信しない場合には、ステップＳ１１６へ移行する。
【００５２】
ステップＳ１１２からステップＳ１１４までは、上述したステップＳ１０３からステップＳ１０５までのフローと同様であり、制御部２は、同様の動作を行い、視聴していたチャンネルの視聴時間が所定時間（３０分）以上の場合には、そのチャンネル番号と視聴終了日時とを選局情報保存部８に保存する。そして、ステップＳ１１５へ移行する。
【００５３】
ステップＳ１１５において制御部２は、ダイレクトスイッチ入力に対応するチャンネル番号を選局処理部５に出力し、選局処理部５は、入力したチャンネル番号に対応する受信チャンネルを選択し、チューナ６に出力する。チューナ６は、入力した受信チャンネルに対応するテレビジョン信号を受信し、上述したと同様にして、表示装置１１に番組映像を表示する。また、同時にステップＳ１０１に戻り、そのチャンネルの視聴時間の計測を開始する。
【００５４】
次に、ステップＳ１１１でダイレクトスイッチからの入力信号を制御部２が受信せず、ステップＳ１１６へ移行した場合の説明をする。
ステップＳ１１６において制御部２は、アップダウンスイッチが入力されたか否かを判断する。入力信号を制御部２が受信した場合には、ステップＳ１１７へ移行する。また、入力信号を制御部２が受信しない場合には、ステップＳ１０２へ戻る。
【００５５】
ステップＳ１１７からステップＳ１１９までは、上述したステップＳ１０３からステップＳ１０５までのフローと同様であり、制御部２は、同様の動作を行い、視聴していたチャンネルの視聴時間が所定時間（３０分）以上の場合には、そのチャンネル番号と視聴終了日時とを選局情報保存部８に保存する。そして、ステップＳ１２０へ移行する。
【００５６】
ステップＳ１２０において制御部２は、アップダウンスイッチ入力に対応するチャンネルを選局して、表示装置１１に番組映像を表示する。なお、この状態で、アップダウンスイッチの入力が受信されない場合には、これでルーチンは終了させ、番組映像の表示を継続する。また、同時にステップＳ１０１に戻り、そのチャンネルの視聴時間の計測を開始する。しかし、ステップＳ１２０でチャンネルを選局しても、アップダウンスイッチが押下され続け（アップダウンスイッチ入力の継続）、入力信号が受信され続ける場合には、アップ方向またはダウン方向の次のチャンネルを選局して、表示装置１１に番組映像を表示する。この動作はアップダウンスイッチの入力が受信されなくなるまで繰返す（このフローチャートは図示を省略する）。
【００５７】
上述したフローが実行されることにより、テレビジョン受信機１は、ユーザが選局操作部としての選局操作スイッチを押下することにより、視聴度合の高いチャンネルの中でも、更に視聴度合が高い、最近視聴しているチャンネルを選局し、番組映像を順次表示装置１１に表示する。ユーザは、選局操作スイッチを押下しながら、表示装置１１に順次表示される番組映像を確認し、ユーザの所望するチャンネルの番組映像が表示されたところで押下を中止することにより、チャンネル選局ができ、そのチャンネルの番組映像を視聴し続けることができる。
【００５８】
上述した、実施形態によれば以下の効果が得られる。
（１）本実施形態のテレビジョン受信機１によれば、所定時間判断部で所定時間（３０分）以上視聴したか否かを判断し、３０分以上視聴したチャンネル番号とチャンネルの視聴を終了した日時を選局情報保存部８に保存して登録することにより、ユーザの視聴度合の高いチャンネル番号を保存できる。そして、選局操作部としての選局操作スイッチの入力を受けた場合、日時取得部および所定日数判断部により、選局情報保存部８に保存されるユーザの視聴度合が高いチャンネル番号を順次指定して取得し、更に、所定日数（５日）を経過しているか否かを判断し、５日未満であるチャンネル番号のみを選局することにより、最近において視聴度合が高い、言い換えれば、最近視聴しているチャンネル番号を選局することができる。これにより、ユーザの視聴度合が高いチャンネル番号を保存でき、最近視聴しているチャンネル番号を順次選択することにより、ユーザの所望していると考えられるチャンネルを効率的に選局することができる。
従って、ユーザの選局の効率化を図ったテレビジョン受信機１を提供することができる。
【００５９】
（２）信号入力継続判断部により、選局操作部としての選局操作スイッチからの選局信号が継続していないと判断されるまで、日時取得部および所定日数判断部での動作が繰返されるため、ユーザが選局操作部で選局信号を継続して出す操作を行うことにより、ユーザに対して、所望していると考えられるチャンネルを効率的に選局させることができる。
【００６０】
（３）ユーザは、選局操作スイッチを押下することにより、表示装置１１に順次表示される視聴度合が高くしかも最近視聴しているチャンネルの番組映像を見ながら、所望するチャンネルの番組映像が表示されたところで押下を中止することにより、効率的にチャンネル選局が行える。
【００６１】
なお、本発明は、上述した実施形態に限定されず、種々の変更や改良等を加えることが可能である。変形例を以下に述べる。
【００６２】
（変形例１）前記実施形態のテレビジョン受信機１と、光束を射出する光源装置（図示省略）と、光源装置から射出された光束をテレビジョン受信機１から得られる画像情報に応じて変調して光学像を形成する光変調部（図示省略）と、光変調部により形成された光学像を投写する投写部（図示省略）とを備えてプロジェクタを構成しても良い。
このように構成されるプロジェクタは、ユーザの視聴度合が高いテレビジョン放送のチャンネルを保存して登録でき、更にユーザの所望していると考えられるチャンネルを効率的に選局することができる。
従って、上記テレビジョン受信機１をプロジェクタに備えることにより、テレビジョン放送に対して、ユーザのチャンネル選局の効率化を図れるプロジェクタを提供することができる。
【００６３】
なお、上記のプロジェクタを構成する光源装置には、メタルハライドランプ、及び高圧水銀ランプなどの放電式ランプを用いることができる。
また、光変調部には、液晶パネル装置やマイクロミラー型光変調装置（例えば、ＤＭＤ（Digital Micromirror Device）（米国ＴＩ社の商標））を用いることができる。
また、液晶パネル装置としては、透過型液晶方式や反射型液晶方式であるＬＣＯＳ（Liquid Crystal On Silicon）方式などを用いることができる。
そして、プロジェクタの投写タイプとして、フロント投写タイプやリア投写タイプを用いることができる。
【００６４】
（変形例２）前記実施形態のテレビジョン受信機１は、プロジェクタに適用することに限られず、様々な電子機器に適用することができる。
【００６５】
（変形例３）前記実施形態のテレビジョン受信機１において、選局操作部からの選局信号を受けて、日時取得部が選局情報保存部８に保存され登録されるチャンネル番号を最初に指定して取得するチャンネル番号は、選局操作部としての選局操作スイッチが入力される直前まで選局されていたチャンネル番号を基準として、その番号よりもアップ方向で、対応するチャンネル番号を取得する。しかし、これに限られず、選局操作スイッチが入力される直前まで選局されていたチャンネル番号を基準として、その番号よりもダウン方向で、対応するチャンネル番号を取得することでも良い。
【００６６】
（変形例４）前記実施形態のテレビジョン受信機１において、選局操作部としての選局操作スイッチは、リモコン１５に設置される押ボタン式のキースイッチの１つを使用して構成されているが、これに限らず、２つのキースイッチを使用して構成しても良い。その場合、２つのキースイッチに対して、一方はアップ方向で選局するキースイッチとし、他方はダウン方向で選局するキースイッチとして設定することにより、更に、ユーザの所望していると考えられるチャンネルを効率的に選局することができる。
【００６７】
（変形例５）前記実施形態のテレビジョン受信機１において、選局情報保存部８は、日時データを保存する際、同一チャンネル番号が選局情報保存部８にすでに保存され登録されている場合には、今回の日時データを最新のデータとして書き替えて保存する。しかし、これに限られず、同一チャンネル番号が選局情報保存部８にすでに保存されている場合でも、書き替えずに今回の日時データを追加して保存することでも良い。この場合、本実施形態においては、最後に視聴したときの日時データを使用することになる。また、同一チャンネル番号に対して複数の日時データが保存されるため、日時データの数量の多さが、視聴頻度の高さに対応するとして、選局するための所定条件として使用することができる。
【００６８】
（変形例６）前記実施形態のテレビジョン受信機１において、所定時間判断部での所定時間を３０分として設定している。また、所定日数判断部での所定日数を５日として設定している。しかし、これに限られず、所定時間判断部での所定時間、所定日数判断部での所定日数は、適宜設定することで良い。また、設定するためのキースイッチなどをリモコン１５に設置することでも良い。
【００６９】
（変形例７）前記実施形態のテレビジョン受信機１において、所定日数判断部は、日時取得部で指定して取得したチャンネル番号に対応させて取得した日時データが、所定の日数を経過したか否かを判断して、所定日数を経過していない日時データのチャンネル番号を選局している。しかし、これに限らず、所定日数を経過したチャンネル番号および日時データは削除するステップを有することでも良い。このようにすることで、最近視聴したチャンネル番号のみが選局情報保存部８に保存され登録されることになり、更にユーザの選局の効率化を図ったテレビジョン受信機１を提供することができる。
【００７０】
（変形例８）前記実施形態のテレビジョン受信機１において、選局操作部としての選局操作スイッチは、リモコン１５に設置される押ボタン式のキースイッチの１つを使用して構成されているが、これに限らず、リモコン１５に備えられたチャンネルアップダウンキーなどを利用して操作しても良い。この場合、どちらかのスイッチキーを長く押した場合の押し時間を計測する計測部などを備えて、所定時間以上押された場合に、選局情報保存部８に保存され登録されるチャンネル番号を指定して同上の動作をさせることで実現できる。
【図面の簡単な説明】
【００７１】
【図１】本発明の実施形態に係るテレビジョン受信機の構成を示すブロック図。
【図２】チャンネルポジション番号と受信チャンネルとの関係を示す例示図。
【図３】テレビジョン受信機の制御部での処理手順を示すフローチャート。
【符号の説明】
【００７２】
１…テレビジョン受信機、２…制御部、３…リモコン受光部、４…キー入力処理部、５…選局処理部、６…チューナ、７…入力選択部、８…選局情報保存部、９…映像音声処理部、１０…映像出力部、１１…表示装置、１２…音声出力部、１３…スピーカ、１５…リモコン、１６…外部接続機器。
【図１】
2007251487.tif 000003
【図２】
2007251487.tif 000004
【図３】
2007251487.tif 000005